(57)【要約】  本発明の課題は、外部メモリ用コネクタ内のバネ部によるアンテナ利得の劣化を改善することができる無線装置を提供することである。  外部メモリ用コネクタ（１３）内のバネ部（１６）を回路基板（１１）に接地する導電性部材（１７）を設ける。あるいは、導電性のシャーシ（２１）にバネ部（１６）と電気的に接続するツメ（２３）を設けてバネ部（１６）を接地する。これにより、バネ部（１６）に共振が発生することがなくなり、共振が原因のアンテナ利得の劣化を改善できる。
2009054046.tif 000002
【特許請求の範囲】
【請求項１】
回路基板と、
前記回路基板に接続されたアンテナと、
前記回路基板に接続された外部メモリ用コネクタと、
前記外部メモリ用コネクタに設けられ、外部メモリの挿入方向に伸縮する導電性のバネ部と、
前記バネ部を前記回路基板に接地する導電性部材と、
を備えた無線装置。
【請求項２】
前記バネ部と、前記回路基板との間に集中定数素子を設けた請求項１に記載の無線装置。
【請求項３】
回路基板と、
前記回路基板に接続されたアンテナと、
前記回路基板に接続された外部メモリ用コネクタと、
前記外部メモリ用コネクタに設けられ、外部メモリの挿入方向に伸縮する導電性のバネ部と、
前記回路基板、アンテナ、外部メモリ用コネクタ、導電性のバネ部を包囲し前記回路基板に接地された導電性のシャーシとを備え、
前記導電性のシャーシに前記導電性のバネ部と電気的に接続するツメを設けた無線装置。
【請求項４】
回路基板と、
前記回路基板に接続されたアンテナと、
前記回路基板に接続された外部メモリ用コネクタと、
前記外部メモリ用コネクタに設けられ、外部メモリの挿入方向に伸縮する導電性のバネ部と、
前記回路基板、アンテナ、外部メモリ用コネクタ、導電性のバネ部を包囲し前記回路基板に接地された導電性のシャーシとを備え、
前記導電性のシャーシに前記導電性のバネ部と電気的に接続する導電性部材を設けた無線装置。
【発明の詳細な説明】
【技術分野】
【０００１】
本発明は、携帯端末等の無線装置に関し、特に外部メモリを装着できる外部メモリ用コネクタを有する無線装置に関する。
【背景技術】
【０００２】
近年の携帯端末は、カメラの画像データを保存したり、ネットワーク上のサイトからダウンロードした音楽データを保存したり、さらには、保存した画像データや音楽データを装置本体に着脱可能な外部メモリを用いて持ち出したりするなど、データを扱う機会が多くなってきている。【０００３】
外部メモリを使用可能とする携帯端末が有する外部メモリ用コネクタには、外部メモリを案内するためのカード案内機構が設けられている。このカード案内機構は、スライド部材と、このスライド部材を外部メモリの挿入方向と反対の方向に付勢するためのバネ部とを有している（例えば、特許文献１参照）。【０００４】
図８は従来の外部メモリ用コネクタの概観図、図９は同コネクタの内部概観図である。図８及び図９において、外部メモリ用コネクタ５０は、導電性のシャーシ５１と、絶縁性のハウジング５２と、複数の端子５３と、導電性のバネ部５４と、カード検出スイッチ５５とを備えている。【０００５】
複数の端子５３、バネ部５４及びカード検出スイッチ５５はハウジング５２に収容される。バネ部５４は、上述したようにスライド部材（図示略）を外部メモリの挿入方向と反対の方向に付勢するためのものである。カード検出スイッチ５５は、外部メモリのハウジング５２内への挿入を検出するものであり、２つの金属片５５ａ、５５ｂとから構成される。金属片５５ａ、５５ｂは、外部メモリをハウジング５２内に挿入することで閉状態となり、抜くことで開状態となる。【０００６】
【特許文献１】特開２００７−０２７０３０号公報
【発明の開示】
【発明が解決しようとする課題】
【０００７】
ところで、外部メモリ用コネクタを有する携帯端末等の無線装置では、外部メモリ用コネクタ内のバネ部が共振してアンテナ利得が劣化してしまうという課題がある。【０００８】
本発明は、係る事情に鑑みてなされたものであり、外部メモリ用コネクタ内のバネ部によるアンテナ利得の劣化を改善することができる無線装置を提供することを目的とする。
【課題を解決するための手段】
【０００９】
本発明の無線装置は、回路基板と、前記回路基板に接続されたアンテナと、前記回路基板に接続された外部メモリ用コネクタと、前記外部メモリ用コネクタに設けられ、外部メモリの挿入方向に伸縮する導電性のバネ部と、前記バネ部を前記回路基板に接地する導電性部材と、を備えた。【００１０】
上記構成によれば、外部メモリ用コネクタ内の導電性のバネ部を導電性部材によって回路基板に接地するので、送信電波による共振が発生することがなくなり、アンテナ利得の劣化を改善できる。【００１１】
また、上記構成において、前記バネ部と、前記回路基板との間に集中定数素子を設けた。【００１２】
上記構成によれば、集中定数素子を使用することで、アンテナ的に理想的な位相で接地することができる。【００１３】
また、本発明の無線装置は、回路基板と、前記回路基板に接続されたアンテナと、前記回路基板に接続された外部メモリ用コネクタと、前記外部メモリ用コネクタに設けられ、外部メモリの挿入方向に伸縮する導電性のバネ部と、前記回路基板、アンテナ、外部メモリ用コネクタ、導電性のバネ部を包囲し前記回路基板に接地された導電性のシャーシとを備え、前記導電性のシャーシに前記導電性のバネ部と電気的に接続するツメを設けた。【００１４】
上記構成によれば、外部メモリ用コネクタ内のバネ部を導電性のシャーシのツメによって回路基板に接地するので、送信電波による共振が発生することがなくなり、アンテナ利得のが劣化を改善できる。【００１５】
また、本発明の無線装置は、回路基板と、前記回路基板に接続されたアンテナと、前記回路基板に接続された外部メモリ用コネクタと、前記外部メモリ用コネクタに設けられ、外部メモリの挿入方向に伸縮する導電性のバネ部と、前記回路基板、アンテナ、外部メモリ用コネクタ、導電性のバネ部を包囲し前記回路基板に接地された導電性のシャーシとを備え、前記導電性のシャーシに前記導電性のバネ部と電気的に接続する導電性部材を設けた。【００１６】
上記構成によれば、外部メモリ用コネクタ内のバネ部を導電性のシャーシの導電性部材によって回路基板に接地するので、送信電波による共振が発生することがなくなり、アンテナ利得のが劣化を改善できる。
【発明の効果】
【００１７】
本発明の無線装置は、外部メモリ用コネクタ内の導電性のバネ部によるアンテナ利得の劣化を改善することができる。
【図面の簡単な説明】
【００１８】
【図１】本発明の実施の形態１に係る無線装置の概略構成を示す斜視図
【図２】図１の外部メモリ用コネクタの内部概観図
【図３】図１の外部メモリ用コネクタの裏面側概観図
【図４】図１の外部メモリ用コネクタに集中定数素子を設けた場合を示す内部概観図
【図５】本発明の実施の形態２に係る無線装置の外部メモリ用コネクタの概観図
【図６】図４の外部メモリ用コネクタのシャーシの裏面側概観図
【図７】図４の外部メモリ用コネクタのシャーシに導電性部材を設けた場合を示す裏面側概観図
【図８】従来の外部メモリ用コネクタの概観図
【図９】従来の外部メモリ用コネクタの内部概観図
【符号の説明】
【００１９】
１１  回路基板
１２  板状逆Ｆアンテナ
１３、２０  外部メモリ用コネクタ
１４  ハウジング
１５  端子
１６  バネ部
１７  導電性部材
１８  カード検出スイッチ
１９、２２  孔
２１  シャーシ
２３  ツメ
２４  集中定数素子
２５  導電性部材
３０  カード型メモリ
【発明を実施するための最良の形態】
【００２０】
以下、本発明を実施するための好適な実施の形態について、図面を参照して詳細に説明する。【００２１】
（実施の形態１）
図１は、本発明の実施の形態１に係る無線装置の概略構成を示す斜視図である。図１において、本実施の形態に係る無線装置は、回路基板１１と、回路基板１１に接続された板状逆Ｆアンテナ１２と、回路基板１１に接続された外部メモリ用コネクタ１３とを備えている。なお、回路基板１１には、送受信回路や音声処理回路等の無線装置として機能するための各種回路が実装されているが、本発明には直接関係しないので図示を省略している。【００２２】
図２は外部メモリ用コネクタ１３の内部概観図である。また、図３は外部メモリ用コネクタ１３の裏面側概観図である。図２において、外部メモリ用コネクタ１３は、絶縁性のハウジング１４と、複数の端子１５と、導電性のバネ部１６と、バネ部１６を回路基板１１に接地する導電性部材１７と、カード検出スイッチ１８とを備えている。【００２３】
複数の端子１５、バネ部１６、導電性部材１７及びカード検出スイッチ１８はハウジング１４に収容される。バネ部１６は、図示せぬスライド部材をカード型メモリ３０の挿入方向と反対の方向に付勢するためのものである。カード検出スイッチ１８は、カード型メモリ３０のハウジング１４内への挿入を検出するものであり、２つの金属片１８ａ、１８ｂから構成される。金属片１８ａ、１８ｂは、カード型メモリ３０をハウジング１４内に挿入することで閉状態となり、抜くことで開状態となる。【００２４】
また、図３に示すように、ハウジング１４にはバネ部１６の一部分（ハウジング１４の奥側に位置する部分）が見える孔１９が設けられており、導電性部材１７はこの孔１９に嵌合する形状に形成されている。この孔１９に導電性部材１７を嵌め込むことで、導電性部材１７がバネ部１６に接触すると共に回路基板１１に接地する。バネ部１６を接地することで、バネ部１６に共振が発生することがなくなり、共振が原因のアンテナ利得の劣化が改善される。【００２５】
なお、図４に示すように、導電性部材１７を使用すると共に、リアクタンス素子や容量素子等の集中定数素子２４を使用して該集中定数素子２４を介してバネ部１６を接地するようにしても良い。この場合、集中定数素子２４の値（インダクタンスやキャパシタンス等）を所望周波数に合わせて決定することで、アンテナ的に理想的な位相で接地することが可能となる。【００２６】
このように、本実施の形態の無線装置では、外部メモリ用コネクタ１３内のバネ部１６を回路基板１１に接地する導電性部材１７を備えるので、バネ部１６に共振が発生することがなくなり、共振が原因のアンテナ利得の劣化を改善できる。【００２７】
（実施の形態２）
図５は、本発明の実施の形態２に係る無線装置の外部メモリ用コネクタの概観図である。また、図６は外部メモリ用コネクタのシャーシの裏面側概観図である。なお、本実施の形態の無線装置は、外部メモリ用コネクタのシャーシに特徴がある他は前述した実施の形態１の無線装置と同様の構成及び構造を有している。したがって、共通する部分は同じ符号を付けて説明することとする。【００２８】
図５及び図６に示すように、外部メモリ用コネクタ２０は、バネ部１６の一部分（ハウジング１４の奥側に位置する部分）が見える位置に２つのツメ２３を設けることにより形成された孔２２が設けられた導電性のシャーシ２１を有している。２つのツメ２３はハウジング１４側に向かって直角に形成されている。また、２つのツメ２３の間隔即ち孔２２の大きさはバネ部１６の径よりも僅かに小さくなっており、各ツメ２３でバネ部１６を把持できるようになっている。導電性のシャーシ２１は回路基板１１に接地されており、２つのツメ２３でバネ部１６を把持することでバネ部１６がシャーシ２１を介して回路基板１１に接地される。【００２９】
導電性のシャーシ２１に形成した２つのツメ２３によってバネ部１６を接地することで、バネ部１６に共振が発生することがなくなり、共振が原因のアンテナ利得の劣化を改善できる。【００３０】
なお、図７に示すように、ツメ２３を形成する以外に、導電性のシャーシ２１にバネ部１６と電気的に接続する導電性クッション等の導電性部材２５を設けても良い。【００３１】
このように、本実施の形態の無線装置では、導電性のシャーシ２１に導電性のバネ部１６と電気的に接続するツメ２３を設けてバネ部１６を接地できるようにしたので、バネ部１６に共振が発生することがなくなり、共振が原因のアンテナ利得の劣化を改善できる。【００３２】
本発明を詳細にまた特定の実施態様を参照して説明したが、本発明の精神と範囲を逸脱することなく様々な変更や修正を加えることができることは当業者にとって明らかである。
【産業上の利用可能性】
【００３３】
本発明は、外部メモリ用コネクタ内のバネ部によるアンテナ利得の劣化を改善することができるといった効果を有し、携帯端末等の無線通信を行う無線装置全般に適用することができる。
【図１】
2009054046.tif 000003
【図２】
2009054046.tif 000004
【図３】
2009054046.tif 000005
【図４】
2009054046.tif 000006
【図５】
2009054046.tif 000007
【図６】
2009054046.tif 000008
【図７】
2009054046.tif 000009
【図８】
2009054046.tif 000010
【図９】
2009054046.tif 000011
【手続補正書】
【提出日】平成22年2月5日(2010.2.5)
【手続補正１】
【補正対象書類名】明細書
【補正対象項目名】全文
【補正方法】変更
【補正の内容】
【発明の詳細な説明】
【技術分野】
【０００１】
本発明は、携帯端末等の無線装置に関し、特に外部メモリを装着できる外部メモリ用コネクタを有する無線装置に関する。
【背景技術】
【０００２】
近年の携帯端末は、カメラの画像データを保存したり、ネットワーク上のサイトからダウンロードした音楽データを保存したり、さらには、保存した画像データや音楽データを装置本体に着脱可能な外部メモリを用いて持ち出したりするなど、データを扱う機会が多くなってきている。
【０００３】
外部メモリを使用可能とする携帯端末が有する外部メモリ用コネクタには、外部メモリを案内するためのカード案内機構が設けられている。このカード案内機構は、スライド部材と、このスライド部材を外部メモリの挿入方向と反対の方向に付勢するためのバネ部とを有している（例えば、特許文献１参照）。
【０００４】
図８は従来の外部メモリ用コネクタの概観図、図９は同コネクタの内部概観図である。図８及び図９において、外部メモリ用コネクタ５０は、導電性のシャーシ５１と、絶縁性のハウジング５２と、複数の端子５３と、導電性のバネ部５４と、カード検出スイッチ５５とを備えている。
【０００５】
複数の端子５３、バネ部５４及びカード検出スイッチ５５はハウジング５２に収容される。バネ部５４は、上述したようにスライド部材（図示略）を外部メモリの挿入方向と反対の方向に付勢するためのものである。カード検出スイッチ５５は、外部メモリのハウジング５２内への挿入を検出するものであり、２つの金属片５５ａ、５５ｂとから構成される。金属片５５ａ、５５ｂは、外部メモリをハウジング５２内に挿入することで閉状態となり、抜くことで開状態となる。
【先行技術文献】
【特許文献】
【０００６】
【特許文献１】特開２００７−０２７０３０号公報
【発明の概要】
【発明が解決しようとする課題】
【０００７】
ところで、外部メモリ用コネクタを有する携帯端末等の無線装置では、外部メモリ用コネクタ内のバネ部が共振してアンテナ利得が劣化してしまうという課題がある。
【０００８】
本発明は、係る事情に鑑みてなされたものであり、外部メモリ用コネクタ内のバネ部によるアンテナ利得の劣化を改善することができる無線装置を提供することを目的とする。
【課題を解決するための手段】
【０００９】
本発明の無線装置は、回路基板と、前記回路基板に接続されたアンテナと、前記回路基板に接続された外部メモリ用コネクタと、前記外部メモリ用コネクタに設けられ、外部メモリの挿入方向に伸縮する導電性のバネ部と、前記バネ部を前記回路基板に接地する導電性部材と、を備えた。
【００１０】
上記構成によれば、外部メモリ用コネクタ内の導電性のバネ部を導電性部材によって回路基板に接地するので、送信電波による共振が発生することがなくなり、アンテナ利得の劣化を改善できる。
【００１１】
また、上記構成において、前記バネ部と、前記回路基板との間に集中定数素子を設けた。
【００１２】
上記構成によれば、集中定数素子を使用することで、アンテナ的に理想的な位相で接地することができる。
【００１３】
また、本発明の無線装置は、回路基板と、前記回路基板に接続されたアンテナと、前記回路基板に接続された外部メモリ用コネクタと、前記外部メモリ用コネクタに設けられ、外部メモリの挿入方向に伸縮する導電性のバネ部と、前記回路基板、アンテナ、外部メモリ用コネクタ、導電性のバネ部を包囲し前記回路基板に接地された導電性のシャーシとを備え、前記導電性のシャーシに前記導電性のバネ部と電気的に接続するツメを設けた。
【００１４】
上記構成によれば、外部メモリ用コネクタ内のバネ部を導電性のシャーシのツメによって回路基板に接地するので、送信電波による共振が発生することがなくなり、アンテナ利得のが劣化を改善できる。
【００１５】
また、本発明の無線装置は、回路基板と、前記回路基板に接続されたアンテナと、前記回路基板に接続された外部メモリ用コネクタと、前記外部メモリ用コネクタに設けられ、外部メモリの挿入方向に伸縮する導電性のバネ部と、前記回路基板、アンテナ、外部メモリ用コネクタ、導電性のバネ部を包囲し前記回路基板に接地された導電性のシャーシとを備え、前記導電性のシャーシに前記導電性のバネ部と電気的に接続する導電性部材を設けた。
【００１６】
上記構成によれば、外部メモリ用コネクタ内のバネ部を導電性のシャーシの導電性部材によって回路基板に接地するので、送信電波による共振が発生することがなくなり、アンテナ利得のが劣化を改善できる。
【発明の効果】
【００１７】
本発明の無線装置は、外部メモリ用コネクタ内の導電性のバネ部によるアンテナ利得の劣化を改善することができる。
【図面の簡単な説明】
【００１８】
【図１】本発明の実施の形態１に係る無線装置の概略構成を示す斜視図
【図２】図１の外部メモリ用コネクタの内部概観図
【図３】図１の外部メモリ用コネクタの裏面側概観図
【図４】図１の外部メモリ用コネクタに集中定数素子を設けた場合を示す内部概観図
【図５】本発明の実施の形態２に係る無線装置の外部メモリ用コネクタの概観図
【図６】図４の外部メモリ用コネクタのシャーシの裏面側概観図
【図７】図４の外部メモリ用コネクタのシャーシに導電性部材を設けた場合を示す裏面側概観図
【図８】従来の外部メモリ用コネクタの概観図
【図９】従来の外部メモリ用コネクタの内部概観図
【発明を実施するための形態】
【００１９】
以下、本発明を実施するための好適な実施の形態について、図面を参照して詳細に説明する。
【００２０】
（実施の形態１）
図１は、本発明の実施の形態１に係る無線装置の概略構成を示す斜視図である。図１において、本実施の形態に係る無線装置は、回路基板１１と、回路基板１１に接続された板状逆Ｆアンテナ１２と、回路基板１１に接続された外部メモリ用コネクタ１３とを備えている。なお、回路基板１１には、送受信回路や音声処理回路等の無線装置として機能するための各種回路が実装されているが、本発明には直接関係しないので図示を省略している。
【００２１】
図２は外部メモリ用コネクタ１３の内部概観図である。また、図３は外部メモリ用コネクタ１３の裏面側概観図である。図２において、外部メモリ用コネクタ１３は、絶縁性のハウジング１４と、複数の端子１５と、導電性のバネ部１６と、バネ部１６を回路基板１１に接地する導電性部材１７と、カード検出スイッチ１８とを備えている。
【００２２】
複数の端子１５、バネ部１６、導電性部材１７及びカード検出スイッチ１８はハウジング１４に収容される。バネ部１６は、図示せぬスライド部材をカード型メモリ３０の挿入方向と反対の方向に付勢するためのものである。カード検出スイッチ１８は、カード型メモリ３０のハウジング１４内への挿入を検出するものであり、２つの金属片１８ａ、１８ｂから構成される。金属片１８ａ、１８ｂは、カード型メモリ３０をハウジング１４内に挿入することで閉状態となり、抜くことで開状態となる。
【００２３】
また、図３に示すように、ハウジング１４にはバネ部１６の一部分（ハウジング１４の奥側に位置する部分）が見える孔１９が設けられており、導電性部材１７はこの孔１９に嵌合する形状に形成されている。この孔１９に導電性部材１７を嵌め込むことで、導電性部材１７がバネ部１６に接触すると共に回路基板１１に接地する。バネ部１６を接地することで、バネ部１６に共振が発生することがなくなり、共振が原因のアンテナ利得の劣化が改善される。
【００２４】
なお、図４に示すように、導電性部材１７を使用すると共に、リアクタンス素子や容量素子等の集中定数素子２４を使用して該集中定数素子２４を介してバネ部１６を接地するようにしても良い。この場合、集中定数素子２４の値（インダクタンスやキャパシタンス等）を所望周波数に合わせて決定することで、アンテナ的に理想的な位相で接地することが可能となる。
【００２５】
このように、本実施の形態の無線装置では、外部メモリ用コネクタ１３内のバネ部１６を回路基板１１に接地する導電性部材１７を備えるので、バネ部１６に共振が発生することがなくなり、共振が原因のアンテナ利得の劣化を改善できる。
【００２６】
（実施の形態２）
図５は、本発明の実施の形態２に係る無線装置の外部メモリ用コネクタの概観図である。また、図６は外部メモリ用コネクタのシャーシの裏面側概観図である。なお、本実施の形態の無線装置は、外部メモリ用コネクタのシャーシに特徴がある他は前述した実施の形態１の無線装置と同様の構成及び構造を有している。したがって、共通する部分は同じ符号を付けて説明することとする。
【００２７】
図５及び図６に示すように、外部メモリ用コネクタ２０は、バネ部１６の一部分（ハウジング１４の奥側に位置する部分）が見える位置に２つのツメ２３を設けることにより形成された孔２２が設けられた導電性のシャーシ２１を有している。２つのツメ２３はハウジング１４側に向かって直角に形成されている。また、２つのツメ２３の間隔即ち孔２２の大きさはバネ部１６の径よりも僅かに小さくなっており、各ツメ２３でバネ部１６を把持できるようになっている。導電性のシャーシ２１は回路基板１１に接地されており、２つのツメ２３でバネ部１６を把持することでバネ部１６がシャーシ２１を介して回路基板１１に接地される。
【００２８】
導電性のシャーシ２１に形成した２つのツメ２３によってバネ部１６を接地することで、バネ部１６に共振が発生することがなくなり、共振が原因のアンテナ利得の劣化を改善できる。
【００２９】
なお、図７に示すように、ツメ２３を形成する以外に、導電性のシャーシ２１にバネ部１６と電気的に接続する導電性クッション等の導電性部材２５を設けても良い。
【００３０】
このように、本実施の形態の無線装置では、導電性のシャーシ２１に導電性のバネ部１６と電気的に接続するツメ２３を設けてバネ部１６を接地できるようにしたので、バネ部１６に共振が発生することがなくなり、共振が原因のアンテナ利得の劣化を改善できる。
【００３１】
本発明を詳細にまた特定の実施態様を参照して説明したが、本発明の精神と範囲を逸脱することなく様々な変更や修正を加えることができることは当業者にとって明らかである。
【産業上の利用可能性】
【００３２】
本発明は、外部メモリ用コネクタ内のバネ部によるアンテナ利得の劣化を改善することができるといった効果を有し、携帯端末等の無線通信を行う無線装置全般に適用することができる。
【符号の説明】
【００３３】
１１  回路基板
１２  板状逆Ｆアンテナ
１３、２０  外部メモリ用コネクタ
１４  ハウジング
１５  端子
１６  バネ部
１７  導電性部材
１８  カード検出スイッチ
１９、２２  孔
２１  シャーシ
２３  ツメ
２４  集中定数素子
２５  導電性部材
３０  カード型メモリ
【手続補正２】
【補正対象書類名】特許請求の範囲
【補正対象項目名】全文
【補正方法】変更
【補正の内容】
【特許請求の範囲】
【請求項１】
回路基板と、
前記回路基板に接続されたアンテナと、
前記回路基板に接続された外部メモリ用コネクタと、
前記外部メモリ用コネクタに設けられ、外部メモリの挿入方向に伸縮する導電性のバネ部と、
前記バネ部を前記回路基板に接地する導電性部材と、
を備えた無線装置。
【請求項２】
前記バネ部と、前記回路基板との間に集中定数素子を設けた請求項１に記載の無線装置。
【請求項３】
回路基板と、
前記回路基板に接続されたアンテナと、
前記回路基板に接続された外部メモリ用コネクタと、
前記外部メモリ用コネクタに設けられ、外部メモリの挿入方向に伸縮する導電性のバネ部と、
前記回路基板、アンテナ、外部メモリ用コネクタ、導電性のバネ部を包囲し前記回路基板に接地された導電性のシャーシとを備え、
前記導電性のシャーシに前記導電性のバネ部と電気的に接続するツメを設けた無線装置。
【請求項４】
回路基板と、
前記回路基板に接続されたアンテナと、
前記回路基板に接続された外部メモリ用コネクタと、
前記外部メモリ用コネクタに設けられ、外部メモリの挿入方向に伸縮する導電性のバネ部と、
前記回路基板、アンテナ、外部メモリ用コネクタ、導電性のバネ部を包囲し前記回路基板に接地された導電性のシャーシとを備え、
前記導電性のシャーシに前記導電性のバネ部と電気的に接続する導電性部材を設けた無線装置。
【手続補正３】
【補正対象書類名】図面
【補正対象項目名】全図
【補正方法】変更
【補正の内容】
【図１】
2009054046.tif 000012
【図２】
2009054046.tif 000013
【図３】
2009054046.tif 000014
【図４】
2009054046.tif 000015
【図５】
2009054046.tif 000016
【図６】
2009054046.tif 000017
【図７】
2009054046.tif 000018
【図８】
2009054046.tif 000019
【図９】
2009054046.tif 000020
【国際調査報告】
2009054046.tif 000021
2009054046.tif 000022